(57)【特許請求の範囲】
【請求項１】
ショックアブソーバのロッドの突出部を内方に向けた状態で該ショックアブソーバのシリンダ部を連結可能に形成された筒状の本体ケースと、
一端部側の外周面に雄ねじ部が形成されていると共に、該雄ねじ部が本体ケース内に位置し、他端部が本体ケースから突出し得るように配設される回転軸と、
前記ショックアブソーバのロッドと前記回転軸との間に位置するロッド押圧部を有し、前記回転軸の回転に伴い前記ロッドに対して当接又は離間する方向に直線的に動作するピストンとを備え、
前記回転軸が一方向に回転し、それに伴い前記ピストンが前記ロッドに当接する方向に動作したときに、前記ロッド押圧部によって前記ロッドの突出部を押圧することにより、前記ショックアブソーバの抵抗力を発生させることを特徴とするショックアブソーバ用アダプタ。
【請求項２】
請求項１記載のショックアブソーバ用アダプタであって、前記ピストンが、ロッド押圧部を構成する底壁部を備えた筒状に形成され、該筒部を構成する周壁部内に前記回転軸の雄ねじ部に螺合する雌ねじ部が形成されていると共に、前記本体ケースとは回り止め機構を介して係合していることを特徴とする請求項１記載のショックアブソーバ用アダプタ。
【請求項３】
請求項１記載のショックアブソーバ用アダプタであって、前記ピストンが、ロッド押圧部を構成する底壁部を備えた筒状に形成され、該筒部を構成する周壁部に１以上の貫通孔が形成されていると共に、前記本体ケースとは回り止め機構を介して係合しており、かつ、該各貫通孔に、周壁部内に露出し、回転軸の雄ねじ部の谷部に当接可能な球体が配設されていることを特徴とする請求項１記載のショックアブソーバ用アダプタ。
【発明の詳細な説明】
【０００１】
【発明の属する技術分野】
本発明はショックアブソーバ用アダプタに関する。
【０００２】
【従来の技術】
ドアや蓋等の開閉部には、該ドアや蓋等の回転物の開閉動作の停止時における衝撃を緩和するため、ヒンジ機構部に回転ダンパを配設したものがある。回転ダンパとしては、回転軸と本体ケースの間に粘性液体を封入することにより、粘性抵抗により回転動作を遅動させるものや、回転軸にベーンを突設すると共にオリフィスを形成し、該ベーンにより封入された粘性液体が回転方向に押圧されてオリフィスを通過する際に発生する動圧抵抗により回転動作を遅動させるもの等がある。
【０００３】
【発明が解決しようとする課題】
しかしながら、上記した回転ダンパは、直線型のダンパであるショックアブソーバと比較して市販品として予め準備されているものの種類が少ない。従って、制御対象である回転物の大きさや重さ、あるいは、回転ダンパの設置スペース等を考慮して、回転物の種類に応じ、その度に回転ダンパの大きさ、抵抗力等の異なる専用の設計をする必要がある。
【０００４】
もちろん、専用品を製造するといっても使用数量が多い場合にはコスト的な問題は少ない。しかしながら、試験的に使用したい場合や使用数量が少ないことが予想される場合には、コストが高くつく。コストの高さから最終的に回転ダンパの使用を見送るケースもある。その一方、上記したショックアブソーバは、市販品として種々の大きさや抵抗力等を有するものが取り揃えられている。従って、上記した試験的使用等の場合には、ショックアブソーバを活用できればコストも低く抑えられる。
【０００５】
本発明は上記した事情に鑑みなされたものであり、ショックアブソーバに連結するだけで、該ショックアブソーバを回転型のダンパとして使用することができるショックアブソーバ用アダプタを提供することを目的とする。
【０００６】
【課題を解決するための手段】
上記した課題を解決するため、請求項１に記載の本発明のショックアブソーバ用アダプタは、ショックアブソーバのロッドの突出部を内方に向けた状態で該ショックアブソーバのシリンダ部を連結可能に形成された筒状の本体ケースと、一端部側の外周面に雄ねじ部が形成されていると共に、該雄ねじ部が本体ケース内に位置し、他端部が本体ケースから突出し得るように配設される回転軸と、前記ショックアブソーバのロッドと前記回転軸との間に位置するロッド押圧部を有し、前記回転軸の回転に伴い前記ロッドに対して当接又は離間する方向に直線的に動作するピストンとを備え、前記回転軸が一方向に回転し、それに伴い前記ピストンが前記ロッドに当接する方向に動作したときに、前記ロッド押圧部によって前記ロッドの突出部を押圧することにより、前記ショックアブソーバの抵抗力を発生させることを特徴とする。
請求項２記載のショックアブソーバ用アダプタは、請求項１記載のショックアブソーバ用アダプタであって、前記ピストンが、ロッド押圧部を構成する底壁部を備えた筒状に形成され、該筒部を構成する周壁部内に前記回転軸の雄ねじ部に螺合する雌ねじ部が形成されていると共に、前記本体ケースとは回り止め機構を介して係合していることを特徴とする。
請求項３記載のショックアブソーバ用アダプタは、請求項１記載のショックアブソーバ用アダプタであって、前記ピストンが、ロッド押圧部を構成する底壁部を備えた筒状に形成され、該筒部を構成する周壁部に１以上の貫通孔が形成されていると共に、前記本体ケースとは回り止め機構を介して係合しており、かつ、該各貫通孔に、周壁部内に露出し、回転軸の雄ねじ部の谷部に当接可能な球体が配設されていることを特徴とする。
【０００７】
【発明の実施の形態】
以下、図面に示した実施の形態に基づき本発明をさらに詳細に説明する。図１及び図２は、本発明の一の実施の形態にかかるショックアブソーバ用アダプタ１を示す図である。このショックアブソーバ用アダプタ１は、本体ケース２、回転軸３、ピストン４を有して構成される。
【０００８】
本体ケース２は、筒状に形成され、一端部２ａ付近の内面には雌ねじ部２ｂが形成されている。この雌ねじ部２ｂには、ショックアブソーバ６のシリンダ部６ａの外周面に形成した雄ねじ部６ｂが螺合する。これにより、ショックアブソーバ６を連結することができる。なお、この際、ショックアブソーバ６のロッドの突出部６ｃを内方に向けて、すなわち本体ケース２の内部に位置するように連結する。ショックアブソーバ６は、このように本体ケース２に螺合するだけで連結できるため、抵抗力等が異なる種々のものを試験的に使用したりすることが容易に行うことができる。
【０００９】
また、本体ケース２の内周面には、図２に示したように、軸方向に沿って突条部２ｃが形成されている。この突条部２ｃは、後述するピストン４の外周面に形成された溝部４ｄと係合するものであり、該突条部２ｃと該溝部４ｄとが回り止め機構を構成する。
【００１０】
回転軸３は、一端部３ａ側（すなわち、一端部３ａから中途に形成されたフランジ部３ｂまでの間）に雄ねじ部３ｃが形成されている。また、該雄ねじ部３ｃが形成されている部位の直径は、本体ケース２の内径よりも小さくなるよう形成されている。該回転軸３は、本体ケース２の他端部２ｄ側から、一端部３ａを内方にして、フランジ部３ｂが本体ケース２の他端部２ｄ寄りに形成した段差部２ｅに位置するようにセットされ、他端部３ｄが本体ケース２の他端部２ｄの外方に突出するよう配設される。なお、実際の配設順序は、後述のピストン４が先になるが、回転軸３を本体ケース２内に配置した後は、本体ケース２の他端部２ｄに、該回転軸３の他端部３ｄが突出し得る孔５ａを有する蓋部材５が装着される。
【００１１】
ピストン４は、有底筒状に形成され、底壁部４ａが、回転軸３の一端部３ａとショックアブソーバ６のロッドの突出部６ｃとの間に位置するように配設される。周壁部４ｂは回転軸３の雄ねじ部３ｃと本体ケース２との間に位置するように配設されると共に、内周面に形成した雌ねじ部４ｃが回転軸３の雄ねじ部３ｃに螺合するよう配設される。なお、本実施の形態では、この底壁部４ａがロッド押圧部として機能する。
【００１２】
本実施の形態によれば、ショックアブソーバ６を上記のように連結した後、回転軸３の他端部３ｄに蓋等の回転物を連結する。回転物が開放又は閉成方向に動作すると、回転軸３が回転する。この際、ピストン４の溝部４ｄが本体ケース２の突条部２ｃに係合しているため、ピストン４は、回転せずに突条部２ｃに沿ってロッドの突出部６ｃに当接する方向に移動し、さらに、ピストン４の底壁部４ａが該突出部６ｃを押圧していく。その結果、ロッドに連結された図示しないショックアブソーバ６のピストン部がシリンダ部６ａ内を移動していくため、抵抗力作用し、ピストン４の動作が遅動せしめられ、結果として回転軸３と回転物の回転動作が緩やかになる。なお、上記と逆方向に回転する場合には、ピストン４は底壁部４ａがロッドから離間する方向へ直線的に移動していくが、この際、ショックアブソーバ６は、通常、ロッドの復帰方向には抵抗力があまり作用せず、速やかに復帰するよう構成されているため、回転軸３及び回転物の逆方向への回転動作は速やかに行われる。
【００１３】
図３及び図４は、本発明の他の実施の形態にかかるショックアブソーバ用アダプタ１を示す図である。本実施の形態では、ピストン４’として、内周面に雌ねじ部が形成されておらず、周壁部４’ｂに１以上の貫通孔４’ｅが形成されたものを用いている。そして、この貫通孔４’ｅに周壁部４’ｂ内に露出し、回転軸３’の雄ねじ部３’ｃの谷部３’ｅに当接可能な鋼球等の球体７が配設されている。なお、回転軸３’の雄ねじ部３’ｃの谷部３’ｅの形状も、この球体７が当接し得るように円弧状に形成されている。その他の構成は、上記した実施の形態と全く同様である。
【００１４】
本実施の形態によれば、回転軸３’が回転すると、球体７の位置が回転軸３’の雄ねじ部３’ｃの谷部３’ｅに沿って変化するため、上記実施の形態にかかるピストン４の雌ねじ部４ｃと全く同じ機能を果たす。従って、回転軸３’が一方向に回転すれば、ピストン４’の底壁部４’ａによりショックアブソーバ６のロッドの突出部６ｃが押圧され、回転軸３’の回転動作が緩やかになり、逆方向に回転すれば、ピストン４’の底壁部４’ａがロッドの突出部６ｃから離間する方向へ移動するため、回転軸３’は逆方向へは速やかに回転する。
【００１５】
また、雌ねじ部をタップなどで形成することは雄ねじ部を形成する場合と比較して加工が難しく、加工コストが高く、結果として部品コストが高くつくが、本実施の形態によれば、ピストン４’に雌ねじ部を形成する必要がない。従って、上記した一の実施の形態と比較して、加工コスト、部品コストを低く抑えることができる。
【００１６】
なお、本実施の形態において、ピストン４’に形成する貫通孔４’ｅの数及びそれと同数配設される球体７の配設数はいずれも限定されるものではない。
【００１７】
【発明の効果】
本発明のショックアブソーバ用アダプタは、ショックアブソーバを容易に連結でき、該ショックアブソーバを回転型のダンパとして使用することができる。従って、試験的に使用したい場合や使用数量が少ないことが予想される場合に、回転ダンパと比較して、種々の大きさや抵抗力等を有するものが取り揃えられているショックアブソーバを利用できるため、回転ダンパのように専用品を作製する必要がなく、製造コストを低く抑えることができる。
【図面の簡単な説明】
【図１】図１は、本発明の一の実施の形態にかかるショックアブソーバ用アダプタを示す縦断面図である。
【図２】図２は、図１のＡ−Ａ線断面図である。
【図３】図３は、本発明の他の実施の形態にかかるショックアブソーバ用アダプタを示す縦断面図である。
【図４】図４は、図３のＢ−Ｂ線断面図である。
【符号の説明】
１  ショックアブソーバ用アダプタ
２  本体ケース
３，３’  回転軸
４，４’  ピストン
５  蓋部材
６  ショックアブソーバ
７  球体
【図１】
0004143164.tif 000002
【図２】
0004143164.tif 000003
【図３】
0004143164.tif 000004
【図４】
0004143164.tif 000005